(57)【要約】【課題】  高い命中率が得られる吹矢用の矢を提供する。【解決手段】  円柱部３の横断面の直径を涙滴形の先端部２の横断面の直径の最大値よりも小さく形成してあるピン１と、截頭円錐形に巻かれたフィルム４とからなり、フィルム４の截頭部４ａにピン１の円柱部３を差し込んで固着してあり、ピン１は、先端部２を形成する涙滴形の前端から仮想上の尖端２ｃまでの長さの、上記涙滴形の横断面の直径の最大値に対する割合が２１６〜２７２％であり、かつ、上記涙滴形の前端から上記涙滴形の横断面の直径が最大である位置までの長さの、上記涙滴形の前端から仮想上の尖端２ｃまでの長さに対する割合が１４．７〜２３．１％である吹矢用の矢である。係る構成によれば、矢の飛行中のブレが抑えられ的への命中率が向上する。【選択図】  図２
2020085437.tif 000002
【特許請求の範囲】
【請求項１】
前部がドーム形で後部が略円錐形である涙滴形の先端部と該先端部の後部に延設してある円柱部とからなると共に、該円柱部の横断面の直径を上記先端部の横断面の直径の最大値よりも小さく形成してあるピンと、
截頭円錐形に巻かれたフィルムとからなり、
上記フィルムの截頭部に上記ピンの円柱部を差し込んで固着してあり、
上記ピンは、その前後方向において、上記先端部を形成する涙滴形の前端から仮想上の尖端までの長さの、上記涙滴形の横断面の直径の最大値に対する割合が２１６〜２７２％であり、かつ、上記涙滴形の前端から上記涙滴形の横断面の直径が最大である位置までの長さの、上記涙滴形の前端から仮想上の尖端までの長さに対する割合が１４．７〜２３．１％であることを特徴とする吹矢用の矢。
【請求項２】
上記截頭円錐形に巻かれたフィルムの前後方向の長さが２００ｍｍ±５ｍｍであり、かつ、該フィルムの後端の外径が１３．０ｍｍ±０．２ｍｍであることを特徴とする請求項１に記載の吹矢用の矢。
【請求項３】
上記截頭円錐形に巻かれたフィルムの前後方向の長さが２０５ｍｍ±５ｍｍであり、かつ、該フィルムの後端の外径が１３．３ｍｍ±０．２ｍｍであることを特徴とする請求項１に記載の吹矢用の矢。
【発明の詳細な説明】
【技術分野】
【０００１】
本願発明は、吹矢に使用される矢に関するものである。
【背景技術】
【０００２】
吹矢に使用される矢に関しては、例えば、特許文献１に示されるように、錘となる柱状のピンと、該ピンの全体をその内部に収めた状態で該ピンにその先端が固着された略円錐形のフィルムとからなる矢が提案されている。
【０００３】
さらに、特許文献２には、上記特許文献１に記載の矢を改良したものとして、先端部と該先端部から後方に延びる円柱部で構成されるピンにおいて、該先端部を球形に、あるいは長手方向断面を楕円状（俵形）に形成したものが提案されている。
【先行技術文献】
【特許文献】
【０００４】
【特許文献１】実用新案登録第３０５１４３２号公報
【特許文献２】特許第４９１００７４号公報
【発明の概要】
【発明が解決しようとする課題】
【０００５】
ところが、このようにピンの先端部の形状を球形に、あるいは、長手方向断面が楕円状（俵形）となるように形成した矢においては、矢の飛行時における空気抵抗が比較的大きく、矢が上下、左右方向にブレてしまい、その結果、矢の的への命中率が低下することになり、特に得点を僅差で争う吹矢競技の競技者にとっては看過できない問題となる。
【０００６】
そこで本願発明は、上記問題に鑑み、高い命中率が得られるような吹矢用の矢を提供することを目的としてなされたものである。
【課題を解決するための手段】
【０００７】
本願発明ではかかる課題を解決するための具体的手段として次のような構成を採用している。
【０００８】
本願の第１の発明では、吹矢用の矢であって、前部がドーム形で後部が略円錐形である涙滴形の先端部と該先端部の後部に延設してある円柱部とからなると共に、該円柱部の横断面の直径を上記先端部の横断面の直径の最大値よりも小さく形成してあるピンと、截頭円錐形に巻かれたフィルムとからなり、上記フィルムの截頭部に上記ピンの円柱部を差し込んで固着してあり、上記ピンは、その前後方向において、上記先端部を形成する涙滴形の前端から仮想上の尖端までの長さの、上記涙滴形の横断面の直径の最大値に対する割合が２１６〜２７２％であり、かつ、上記涙滴形の前端から上記涙滴形の横断面の直径が最大である位置までの長さの、上記涙滴形の前端から仮想上の尖端までの長さに対する割合が１４．７〜２３．１％あることを特徴としている。
【０００９】
本願の第２の発明では、上記第１の発明に係る吹矢用の矢であって、上記截頭円錐形に巻かれたフィルムの前後方向の長さが２００ｍｍ±５ｍｍであり、かつ、該フィルムの後端の外径が１３．０ｍｍ±０．２ｍｍであることを特徴としている。
【００１０】
本願の第３の発明では、上記第１の発明に係る吹矢用の矢であって、上記截頭円錐形に巻かれたフィルムの前後方向の長さが２０５ｍｍ±５ｍｍであり、かつ、該フィルムの後端の外径が１３．３ｍｍ±０．２ｍｍであることを特徴としている。
【発明の効果】
【００１１】
（ａ）本願の第１の発明では以下のような効果が得られる。
（ａ−１）  上記ピンの先端部を涙滴形としているので、例えば、球形や長手方向断面が楕円状（俵形）の先端部を有する従来の矢よりも、矢の飛行中の空気抵抗を減少させることができ、また、矢の重心位置が矢の前寄りとなるため、矢の飛行中の上下、左右方向のブレが抑えられ、矢飛軌跡が直線に近付くことで、的への命中率が向上する。
【００１２】
特に、本願の第１の発明においては、上記ピンの先端部を形成する涙滴形の前端から仮想上の尖端までの長さ（以下「涙滴長」ともいう。）の、上記涙滴形の横断面の直径の最大値（以下「最太部直径」ともいう。）に対する割合と、上記ピンの前後方向における上記涙滴形の横断面の直径が最大になる位置（以下「最太部位置」ともいう。）を、特定範囲に調整することにより、先端部を形成する涙滴形をより空気抵抗の少ない形状にして、また、重心位置を適切に前寄りとしてある。そのため、矢の飛行中のブレをより少なくして、矢飛軌跡をより直線に近づけることができるため、矢の的への命中率をより高めることができる。
【００１３】
なお、上記「涙滴形」は、前部が「ドーム形」で後部が「略円錐形」とされる。この「涙滴形」は、球形や楕円形と比べて空気や水の抵抗が小さいとされており、飛行船や潜水艦の形状として多く採用されている。また、本願発明において、上記「略円錐形」には、曲線状の母線を有するものと、直線状の母線を有する所謂「円錐形」とを含む。
【００１４】
また、ピンの先端部は、前部がドーム形で後部が略円錐形であり、円柱部は、その前端が上記先端部の後部を形成する略円錐形の側面に繋がっている。したがって、先端部を形成する涙滴形の尖端（後端）は、円柱部の前端に埋もれる（隠れる）位置にあり実際には存在しないため、本願発明においては、図２、図４〜図８にそれぞれ想像線で図示するように、その涙滴形の尖端を、仮想的に認識して位置を特定するものとしている。
【００１５】
（ａ−２）  本願の第１の発明では、涙滴形の前端から最太部位置までの長さの涙滴長に対する割合が１４．７〜２３．１％であるため、即ち、最太部位置が比較的前方にあるので、該涙滴形の前端から最太部位置までの間における表面の傾斜角が比較的大きくなっている。そのため、吹矢競技の際に、先に的に刺さった矢の後方から、後に発射された矢が重ねて命中する所謂「ダブル」の状態となって、後側の矢の先端部が前側の矢のピンの後方に衝突する場合、その衝突角度が大きく、より垂直に近い状態で衝突することから、後側の矢の先端部が前側の矢のピンの後方に適度に食い込み保持されることで、「撥ね矢」が生じ難いという効果がある。
【００１６】
ここで、上記「ダブル」の状態で２本の矢が重なって的に保持された場合には、先の前側の矢が刺さった的の得点領域の点数が、後側の矢の点数としても適用されて加算されるため、一般的に競技上望ましい事態である。これに対して、「撥ね矢」は、先の前側の矢の後方に後側の矢が当たったものの、撥ね飛ばされてしまって「ダブル」にならなかった事態であり、この場合、後側の矢の発射は無効となり、再度発射する必要があり、競技上望ましくない事態である。
【００１７】
（ｂ）本願の第２の発明では、以下のような効果が得られる。
現在、日本国内において広く実施されている吹矢競技では、吹矢の発射に使用する射出筒の内径は主に１３．０ｍｍである。したがって、矢の截頭円錐形に巻かれたフィルムの前後方向の後端の外径は、競技者の呼気を漏れなく効率良く受けるために、普通は射出筒の内径と同じ１３．０ｍｍ程度に調整される。
【００１８】
したがって、本願の第２の発明のように、矢の截頭円錐形に巻かれたフィルムの後端の外径を１３．０ｍｍ±０．２ｍｍとしておけば、矢をそのままの状態で競技に使用することができるので、競技者にとって便宜である。
また、上記フィルムの後端の外径を１３．０ｍｍ±０．２ｍｍとした場合に、該フィルムの前後方向の長さを２００ｍ±５ｍｍとしておけば、矢Ｚの飛行姿勢を安定させることができるため好ましい。
【００１９】
（ｃ）本願の第３の発明では、以下のような効果が得られる。
本願の第３の発明では、截頭円錐形に巻かれたフィルムの前後方向の長さを２０５ｍｍ±５ｍｍ、該フィルムの後端の外径を１３．３ｍｍ±０．２ｍｍとしている。
【００２０】
現在、日本国内において広く実施されている吹矢競技では、上記のとおり射出筒の内径は主に１３．０ｍｍため、矢の截頭円錐形に巻かれたフィルムの前後方向の後端の外径を、射出筒の内径と同じ１３．０ｍｍ程度にすることが普通である。しかし、競技者の好みによって、截頭円錐形フィルムの後端の外径を僅かに大き目、あるいは小さ目に調整するために、競技者自身が、截頭円錐形フィルムの後端を数ミリメートル単位でカットすることが行われている。そのため、矢の截頭円錐形フィルムについては、製造後（販売時）には、前後方向に少し長めに作成し、後端の外径を１３．０ｍｍよりも少し大きめに作成しておいても良い。
【００２１】
したがって、本願の第３の発明のように、矢の製造後において、截頭円錐形フィルムの前後方向の長さを使用時よりも長めにして、後端の外径を使用時よりも大きめにしておけば、競技者が自身の好みに応じて、截頭円錐形フィルムの後端の外径を調整することができることから、競技者の好みに応じた矢を提供できる。
【図面の簡単な説明】
【００２２】
【図１】本願発明の第１の実施例に係る吹矢用の矢の全体斜視図である。
【図２】図１に示した矢のピン部分の拡大側面図である。
【図３】図２のＡ部分の拡大図である。
【図４】本願発明の第２の実施例に係る矢のピン部分の側面図である。
【図５】本願発明の第３の実施例に係る矢のピン部分の側面図である。
【図６】第１の比較例に係る矢のピン部分の側面図である。
【図７】第２の比較例に係る矢のピン部分の側面図である。
【図８】第３の比較例に係る矢のピン部分の側面図である。
【図９】吹矢の的の正面図である。
【図１０】吹矢射出筒と矢の斜視図である。
【図１１】先端部の長手方向断面を楕円状（俵形）に形成した従来技術に係る矢のピンの側面図である。
【発明を実施するための形態】
【００２３】
「第１の実施例」
図１〜図３には、本願発明の第１の実施例に係る吹矢用の矢Ｚを示している。この矢Ｚは、ピン１とフィルム４を備えて構成される。
なお、後述の「発射試験１」における「サンプル１」の矢と、「発射試験２」における「サンプル７」の矢は、本実施例に該当する。
【００２４】
「ピン１の構造等」
ピン１は、図１及び図２に示すように、前部２ａがドーム形で，後部２ｂが略円錐形とされた涙滴形の先端部２と、該先端部２の後部２ｂから後方に延びる円柱部３とから構成される所定長さ（この実施例では、２０ｍｍ）の棒状体であって、上記円柱部３の横断面の直径（この実施例では１．４５ｍｍ）は上記先端部２の横断面の直径の最大値（この実施例では３ｍｍ）よりも小さく設定されている。
【００２５】
また、この実施例のピン１では、先端部２の後部２ｂを形成する略円錐形の母線の曲率半径を１１．７８ｍｍ、先端部２の前部２ａの端面から後部２ｂまでの寸法（先端部長）を５ｍｍ、先端部２の後部２ｂの直径を１．６ｍｍとしている。また、先端部２の前部２ａの端面から涙滴形の尖端２ｃ（上述の仮想点）までの寸法（涙滴長）を６．７５２ｍｍとしているため、涙滴長の最太部直径（３ｍｍ）に対する割合（６．７５２／３）は２２５．１％となる。さらに、上記涙滴形の前部２ａの端面から上記涙滴形の横断面の直径が最大である位置（最太部位置）までの長さを１ｍｍとしており、したがって、上記涙滴形の前部２ａの端面から最太部位置までの長さの涙滴長に対する割合（１／６．７５２）は１４．８１％となり、最太部位置が涙滴形の前方寄りに位置している状態である。
【００２６】
上記ピン１は、錘として必要な質量と硬度を確保するため、金属、石、ガラス等であることが望ましい。金属であれば、鉄、真ちゅう、銅、ステンレス等や、必要に応じてこれらの表面にメッキを施したものを用いることができる。また、上記ピン１は、その全体を円柱形の材料から旋盤等で削り出すなどして一体的に製造できるが、先端部２と円柱部３とを個別に作成した後に繋ぎ合わせるようにして製造しても良い。
【００２７】
「フィルム４の構造等」
上記フィルム４は、矢Ｚを射出筒５（図１０参照）から発射する際には吹き付けられる呼気を受けて矢Ｚに推力を与えるとともに、該矢Ｚが射出されて的に向かって飛行する際にはその飛行姿勢を安定させるように機能するものであって、所定形状のフィルム材を冶具に巻き付けて、頂部が開口された截頭円錐形に形成して構成される。そして、このフィルム４は、図１〜図３に示すように、その截頭部４ａ側から、上記ピン１に対してその円柱部３の後部３ｂ側から該円柱部３の全体を覆うように差し込まれ、該截頭部４ａを上記円柱部３の前部３ａに対して接着剤によって固着されることで、上記ピン１と一体化されて、上記矢Ｚを構成する。
【００２８】
この実施例では、截頭円錐形に巻かれた上記フィルム４の前後方向の長さを２００ｍｍとし、かつ、該フィルム４の後端４ｂの外径を１３．０ｍｍに設定している。なお、このフィルム４の後端４ｂの外径を１３．０ｍｍとしたのは、吹矢競技において、矢Ｚを発射する射出筒５の内径が通常１３．０ｍｍに設定されているのに対応させたものである。また、上記フィルム４の全長を２００ｍｍに設定したのは、矢Ｚの飛行姿勢を安定させるに最適な寸法として設定したものである。
【００２９】
このような大きさの状態で上記フィルム４を製造・販売する場合、競技者は、該フィルム４の後端の外径を、自ら調整することなく、そのまま競技に使用することができる。また、他の実施例においては、上記フィルム４の前後方向の長さを２０５ｍｍ±５ｍｍとし、かつ、該フィルム４の後端４ｂの外径を１３．３ｍｍ±０．２ｍｍにしてもよい。この場合、競技者が自らの好みに合わせて、上記フィルム４の後部４ｂの所定位置を横方向に切断することで、後端の外径を調節することができる。
【００３０】
上記フィルム４は、その材質として、各種の樹脂、紙、不織布等を採用することができるが、軽量で、ある程度の剛性と柔軟性を備えるものであることが望ましい。また、競技者の呼気によって矢を発射するため、フィルム４に唾液が付着しても変形・破損しない程度の耐水性を有することが望ましい。このような観点から、この実施例においては、上記フィルム４を、厚さ４０μｍの延伸ポリプロピレン（Oriented Polypropylene）を用いて形成している。
【００３１】
「第２の実施例」
図４には、本願発明の第２の実施例に係る吹矢用の矢Ｚを示している。この矢Ｚは、ピン１とフィルム４を備えて構成されるが、該フィルム４は上記第１の実施例におけるフィルム４と同様であるためここでの説明を省略し、上記ピン１についてのみ、その構造等を説明する。
なお、後述の「発射試験１」における「サンプル２」の矢は、本実施例に該当する。
【００３２】
「ピン１の構造等」
ピン１は、図４に示すように、前部２ａがドーム形で，後部２ｂが略円錐形とされた涙滴形の先端部２と、該先端部２の後部２ｂから後方に延びる円柱部３とから構成される所定長さ（この実施例では、２０ｍｍ）の棒状体であって、上記円柱部３の横断面の直径（この実施例では１．４５ｍｍ）は上記先端部２の横断面の直径の最大値（この実施例では３ｍｍ）よりも小さく設定されている。
【００３３】
この実施例のピン１では、先端部２の後部２ｂを形成する略円錐形の母線の曲率半径を１６．８ｍｍ、先端部２の前部２ａの端面から後部２ｂまでの寸法（先端部長）を６ｍｍ、先端部２の後部２ｂの直径を１．６ｍｍとしている。
また、先端部２の前部２ａの端面から涙滴形の尖端２ｃまでの寸法（涙滴長）を８．１４１ｍｍとしているため、涙滴長の最太部直径（３ｍｍ）に対する割合（８．１４１／３）は２７１．４％となる。かかる割合は、上記第１の実施例の場合（２２５．１％）よりも大きいことから、より前後方向に長くスリムな形状の涙滴形となっている。
【００３４】
さらに、この実施例のピン１では、上記涙滴形の前部２ａの端面から上記涙滴形の横断面の直径が最大である位置（最太部位置）までの長さを１．２ｍｍとしており、したがって、上記涙滴形の前部２ａの端面から最太部位置までの長さの涙滴長に対する割合（１．２／８．１４１）は１４．７４％となり、最太部位置は上記第１の実施例の場合よりも涙滴形の前方寄りに位置している。
【００３５】
「第３の実施例」
図５には、本願発明の第３の実施例に係る吹矢用の矢Ｚを示している。この矢Ｚは、ピン１とフィルム４を備えて構成されるが、該フィルム４は上記第１の実施例におけるフィルム４と同様であるためここでの説明を省略し、上記ピン１についてのみ、その構造等を説明する。
なお、後述の「発射試験１」における「サンプル３」の矢は、本実施例に該当する。
【００３６】
「ピン１の構造等」
ピン１は、図５に示すように、前部２ａがドーム形で，後部２ｂが略円錐形とされた涙滴形の先端部２と、該先端部２の後部２ｂから後方に延びる円柱部３とから構成される所定長さ（この実施例では、２０ｍｍ）の棒状体であって、上記円柱部３の横断面の直径（この実施例では１．４５ｍｍ）は上記先端部２の横断面の直径の最大値（この実施例では３ｍｍ）よりも小さく設定されている。
【００３７】
この実施例のピン１では、先端部２の後部２ｂを形成する略円錐形の母線の曲率半径を９．１ｍｍ、先端部２の前部２ａの端面から後部２ｂまでの寸法（先端部長）を５ｍｍ、先端部２の後部２ｂの直径を１．６ｍｍとしている。
また、先端部２の前部２ａの端面から涙滴形の尖端２ｃまでの寸法（涙滴長）を６．５０５ｍｍとしているため、涙滴長の最太部直径（３ｍｍ）に対する割合（６．５０５／３）は２１６．８％となる。かかる割合は、上記第１の実施例の場合（２２５．１％）よりもやや小さいことから、少しズングリした形状の涙滴形となっている。
【００３８】
さらに、この実施例のピン１では、上記涙滴形の前部２ａの端面から上記涙滴形の横断面の直径が最大である位置（最太部位置）までの長さを１．５ｍｍとしており、したがって、上記涙滴形の前部２ａの端面から最太部位置までの長さの涙滴長に対する割合（１．５／６．５０５）は２３．０６％となり、最太部位置は上記第１および第２の実施例の場合よりもさらに涙滴形の後方寄りに位置している。
【００３９】
「第１の比較例」
図６には、第１の比較例に係る吹矢用の矢Ｚを示している。この矢Ｚは、ピン１とフィルム４を備えて構成されるが、該フィルム４は上記第１の実施例におけるフィルム４と同様であるためここでの説明を省略し、上記ピン１についてのみ、その構造等を説明する。
なお、後述の「発射試験１」における「サンプル４」の矢は、本比較例に該当する。
【００４０】
「ピン１の構造等」
ピン１は、図６に示すように、前部２ａがドーム形で，後部２ｂが略円錐形とされた涙滴形の先端部２と、該先端部２の後部２ｂから後方に延びる円柱部３とから構成される所定長さ（この比較例では、２０ｍｍ）の棒状体であって、上記円柱部３の横断面の直径（この比較例では１．４５ｍｍ）は上記先端部２の横断面の直径の最大値（この比較例では３ｍｍ）よりも小さく設定されている。
【００４１】
この比較例のピン１では、先端部２の後部２ｂを形成する略円錐形の母線の曲率半径を１４．８１ｍｍ、先端部２の前部２ａの端面から後部２ｂまでの寸法（先端部長）を５ｍｍ、先端部２の後部２ｂの直径を１．６ｍｍとしている。
また、先端部２の前部２ａの端面から涙滴形の尖端２ｃまでの寸法（涙滴長）を６．９９６ｍｍとしているため、涙滴長の最太部直径（３ｍｍ）に対する割合（６．９９６／３）は２３３．２％となる。かかる割合は、上記第１の実施例の場合（２２５．１％）よりも少し大きいことから、若干スリムな形状の涙滴形となっている。
【００４２】
さらに、この比較例のピン１では、上記涙滴形の前部２ａの端面から上記涙滴形の横断面の直径が最大である位置（最太部位置）までの長さを０．５ｍｍとしており、したがって、上記涙滴形の前部２ａの端面から最太部位置までの長さの涙滴長に対する割合（０．５／６．９９６）は７．１５％となり、最太部位置は上記各実施例の場合よりもさらに涙滴形の前方寄りに位置している。このため、上記先端部２の前部２ａのドーム形は、かなり扁平状となっている。
【００４３】
「第２の比較例」
図７には、第２の比較例に係る吹矢用の矢Ｚを示している。この矢Ｚは、ピン１とフィルム４を備えて構成されるが、該フィルム４は上記第１の実施例におけるフィルム４と同様であるためここでの説明を省略し、上記ピン１についてのみ、その構造等を説明する。
なお、後述の「発射試験１」における「サンプル５」の矢は、本比較例に該当する。
【００４４】
「ピン１の構造等」
ピン１は、図７に示すように、前部２ａがドーム形で，後部２ｂが略円錐形とされた涙滴形の先端部２と、該先端部２の後部２ｂから後方に延びる円柱部３とから構成される所定長さ（この比較例では、２０ｍｍ）の棒状体であって、上記円柱部３の横断面の直径（この比較例では１．４５ｍｍ）は上記先端部２の横断面の直径の最大値（この比較例では３ｍｍ）よりも小さく設定されている。
【００４５】
この比較例のピン１では、先端部２の後部２ｂを形成する略円錐形の母線の曲率半径を７．７ｍｍ、先端部２の前部２ａの端面から後部２ｂまでの寸法（先端部長）を４ｍｍ、先端部２の後部２ｂの直径を１．６ｍｍとしている。
また、先端部２の前部２ａの端面から涙滴形の尖端２ｃまでの寸法（涙滴長）を５．３５４ｍｍとしているため、涙滴長の最太部直径（３ｍｍ）に対する割合（５．３５４／３）は１７８．５％となる。かかる割合は、上記各実施例の場合よりも小さいことから、比較的ズングリした形状の涙滴形となっている。
【００４６】
さらに、この比較例のピン１では、上記涙滴形の前部２ａの端面から上記涙滴形の横断面の直径が最大である位置（最太部位置）までの長さを０．８ｍｍとしており、したがって、上記涙滴形の前部２ａの端面から最太部位置までの長さの涙滴長に対する割合（０．８／５．３５４）は１４．９４％となり、最太部位置は上記第１および第２の実施例の場合と略同じ割合の位置にある。
【００４７】
「第３の比較例」
図８には、第３の比較例に係る吹矢用の矢Ｚを示している。この矢Ｚは、ピン１とフィルム４を備えて構成されるが、該フィルム４は上記第１の実施例におけるフィルム４と同様であるためここでの説明を省略し、上記ピン１についてのみ、その構造等を説明する。
なお、後述の「発射試験１」における「サンプル６」の矢は、本比較例に該当する。
【００４８】
「ピン１の構造等」
ピン１は、図８に示すように、前部２ａがドーム形で，後部２ｂが略円錐形とされた涙滴形の先端部２と、該先端部２の後部２ｂから後方に延びる円柱部３とから構成される所定長さ（この比較例では、２０ｍｍ）の棒状体であって、上記円柱部３の横断面の直径（この比較例では１．４５ｍｍ）は上記先端部２の横断面の直径の最大値（この比較例では３ｍｍ）よりも小さく設定されている。
【００４９】
この比較例のピン１では、先端部２の後部２ｂを形成する略円錐形の母線の曲率半径を６．７８ｍｍ、先端部２の前部２ａの端面から後部２ｂまでの寸法（先端部長）を５ｍｍ、先端部２の後部２ｂの直径を１．６ｍｍとしている。
また、先端部２の前部２ａの端面から涙滴形の尖端２ｃまでの寸法（涙滴長）を６．２５３ｍｍとしているため、涙滴長の最太部直径（３ｍｍ）に対する割合（６．２６３／３）は２０８．４％となる。かかる割合は、上記第１および第３の実施例の場合よりも小さいことから、少しズングリした形状の涙滴形となっている。
【００５０】
さらに、この比較例のピン１では、上記涙滴形の前部２ａの端面から上記涙滴形の横断面の直径が最大である位置（最太部位置）までの長さを２ｍｍとしており、したがって、上記涙滴形の前部２ａの端面から最太部位置までの長さの涙滴長に対する割合（２／６．２５３）は３１．９８％となり、最太部位置は上記各実施例に比べて後側寄りとなっている。
【００５１】
「矢の発射試験、試験結果及び考察」
（１）発射試験１
（１−１）サンプル
上記第１〜第３の実施例においてそれぞれ示したピン１とフィルム４からなる矢Ｚを、それぞれ「サンプル１」〜「サンプル３」とし、上記第１〜第３の比較例においてそれぞれ示した矢Ｚを、それぞれ「サンプル４」〜「サンプル６」とし、さらに、ピンの先端部を球形とした従来構造の矢（ピンの先端部の形状以外は、全て上記各実施例における矢Ｚと同様）を「サンプルＸ」として使用し、これら全７つのサンプルのそれぞれについて試験した。
【００５２】
（１−２）試験用機材
矢Ｚを発射する射出筒５（図１０参照）は、長さ１２０ｃｍ、内径１３．０ｍｍの筒状のグラスファイバー製である。この射出筒５の内部に矢Ｚを挿入して配置し、矢Ｚの後方から息を強く吹き込むことで、矢を発射するものである。
【００５３】
図９に示すように、試験に使用する的６には、４重の同心円状の得点領域が表示されており、得点領域は、内側から順次、７点領域（直径６ｃｍ）、５点領域（直径１２ｃｍ）、３点領域（直径１８ｃｍ）、１点領域（直径２４ｃｍ）となっている。なお、上記的６は、得点領域が表示された表紙６１と、その表紙６１が貼着された発泡ポリエチレン製の台座６２からなり、的６に当たった矢Ｚは該的６に突き刺さって、その状態を維持できるようになっている。
【００５４】
（１−３）試験方法
試験は、試験実行者が、的から１０ｍ離れた位置に立ち、的に向かって矢を発射することにより行った。なお、試験実行者は、吹矢競技について十分に習熟した１名の男性である。
試験実行者は、上記サンプル毎に、矢の発射数３０本、２１０点満点を１セットとして５セット行い、合計で矢の発射数１５０本、１０５０点満点とした。
【００５５】
（２）試験結果１
発射試験１の試験結果１を下の「表１」に示す。
【００５６】
【表１】
2020085437.tif 000003
【００５７】
表１における用語の意義は以下のとおりである。
「涙滴長（ｍｍ）」・・ピン１の先端部２を形成する涙滴形の前部２ａの端面から仮想上の尖端２ｃまでの長さである（設計値）。
「涙滴長／最太部の直径（％）」・・涙滴長の最太部直径（設計値）に対する割合である。
「最太部の位置（％）」・・ピン１の前後方向における先端部２を形成する涙滴形の横断面の直径が最大になる位置について、その位置の先端部２の前部２ａの端面からの距離（設計値）を、涙滴長に対する割合で表したものである。
「ピン全長（ｍｍ）」・・ピン１の前後方向の全長である（設計値）。
「先端部長（ｍｍ）」・・ピン１の先端部２の前後方向の長さである（設計値）。
「ピン質量（ｇ）」・・任意に選択した５０個のピン１の質量（実測値）の平均値である。
「矢質量（ｇ）」・・ピン１及びフィルム４と、ピン１とフィルム４を接着する接着剤とを含めた矢の全体の質量である。試験に使用した各矢のサンプルから、任意に選択した５本のサンプルの質量（実測値）の平均値である。
「平均点」・・１セット（２１０点満点）を５セット行った場合の、１セット当たりの平均点である。
「評価」・・平均点が、従来のサンプルＸを用いた競技の平均点よりも、１点以上４点未満増加したサンプルの評価をＢ（良好）とし、４点以上増加したサンプルの評価をＡ（最良）とした。
【００５８】
（３）試験結果１についての考察
（３−１）ピン１の先端部２を涙滴形とした場合（サンプル１〜６）に、先端部２を球形とした従来構造の場合（サンプルＸ）よりも、平均点が１点以上増加することが分かる（評価ＡおよびＢ）。
【００５９】
（３−２）「涙滴長／最太部の直径」が概ね２１６〜２７２％であり、かつ、「最太部の位置」が概ね１４．７〜２３．１％である場合（サンプル１、２、３）に、ピン１の先端部２を球形とした従来構造の場合（サンプルＸ）よりも、平均点が４点以上増加することが分かる（評価Ａ）。
【００６０】
（３−３）サンプル４は、「最太部の位置」が７．１５％であって、サンプル１〜６の中で最も前寄りのため、先端部２の前部２ａのドーム形状がかなり偏平状である。そのため、飛行中の空気抵抗の影響により、平均点が１９６．８で評価Ｂ（良好）に到達したものの、評価Ａ（最良）には至らなかったものと思われる。
【００６１】
（３−４）サンプル５は、「涙滴長／最太部の直径」が１７８．５％であって、サンプル１〜６の中で先端部２の形状が最もズングリした涙滴形である。そのため、飛行中の空気抵抗の影響により、平均点が１９６．４でＢ評価（良好）に到達したものの、評価Ａ（最良）には至らなかったものと思われる。
【００６２】
（３−５）サンプル６は、「最太部の位置」が３１．９８％であって、サンプル１〜６の中で最も後ろ寄りで、矢の重心位置も後ろ寄りである。そのため、矢の飛行中に上下、左右方向のブレが少し生じて、平均点が１９５．２でＢ評価（良好）に到達したものの、評価Ａ（最良）には至らなかったものと思われる。
【００６３】
（３−６）ピン１と矢Ｚの両方の質量が、サンプル２に次いで２番目に大きいサンプル４は、平均点が上位から４番目である。また、矢Ｚの質量が４番目に大きいサンプル６は、矢Ｚの質量がより小さいサンプル３よりも平均点が低い。
【００６４】
（３−７）以上のことから、平均点の高低に対しては、ピン１および矢Ｚの質量の影響は小さいことが分かる。すなわち、平均点の高低に大きく影響するのは、「涙滴長／最太部の直径」と「最太部の位置」で特定される涙滴形の形状であると言える。
【００６５】
（４）発射試験２
（４−１）サンプル
上記第１の実施例において示したピン１とフィルム４からなる矢Ｚを、「サンプル７」として使用するとともに、図１１に示す先端部の長手方向断面を俵形とした従来構造のピンを採用し、ピン以外は全て上記第１実施例における矢Ｚと同様の矢を「サンプルＹ」として使用して試験した。
【００６６】
（４−２）試験用機材
上記（１−２）に記載のとおり、発射試験１と同じ試験用機材を使用した。
【００６７】
（４−３）試験方法
上記（４−３）に記載のとおり、発射試験１と同じ試験方法によった。
【００６８】
（５）試験結果２
発射試験２の試験結果２を下の「表２」に示す。
【００６９】
【表２】
2020085437.tif 000004
【００７０】
表２における用語の意義は以下のとおりである。
「涙滴長（ｍｍ）」・・ピン１の先端部２を形成する涙滴形の前部２ａの端面から仮想上の尖端２ｃまでの長さである（設計値）。
「涙滴長／最太部の直径（％）」・・涙滴長の最太部直径（設計値）に対する割合である。
「最太部の位置（％）」・・ピン１の前後方向における先端部２を形成する涙滴形の横断面の直径が最大になる位置について、その位置の先端部２の前部２ａの端面からの距離（設計値）を、涙滴長に対する割合で表したものである。
「ピン全長（ｍｍ）」・・ピン１の前後方向の全長である（設計値）。
「先端部長（ｍｍ）」・・ピン１の先端部２の前後方向の長さである（設計値）。
「ピン質量（ｇ）」・・任意に選択した３０個のピン１の質量（実測値）の平均値である。
「矢質量（ｇ）」・・ピン１及びフィルム４と、ピン１とフィルム４を接着する接着剤とを含めた矢の全体の質量である。試験に使用した各矢のサンプルから、任意に選択した８本のサンプルの質量（実測値）の平均値である。
「平均点」・・１セット（２１０点満点）を５セット行った場合の、１セット当たりの平均点である。
【００７１】
（６）試験結果２についての考察
（６−１）ピン１の先端部２を涙滴形とした場合（サンプル７）に、先端部２を俵形とした従来構造の場合（サンプルＹ）よりも、平均点が３．２点増加することが分かる。この結果は、ピン１の先端部２を涙滴形とすれば、俵形よりも、矢の飛行中の空気抵抗が減少し、また、矢の重心位置が前寄りになるため、矢の飛行中に上下、左右方向のブレが抑えられ、的の高得点領域への命中率が向上したことによると考えられる。
【００７２】
（６−２）発射試験２で使用したサンプル７の矢は、上記発射試験１で使用したサンプル１の矢と同じ設計形態であるにもかかわらず、試験結果２のサンプル７の平均点（１９６．４点）は、試験結果１のサンプル１の平均点（２００点）よりも３．６点低くなっている。これは、主に、試験実行者の各試験時における技量の相違によるものと考えられる。
【産業上の利用可能性】
【００７３】
本願発明に係る吹矢用の矢は、吹矢競技等の娯楽、スポーツ分野において利用されるものである。
【符号の説明】
【００７４】
１  ・・ピン
２  ・・先端部
３  ・・円柱部
４  ・・フィルム
５  ・・射出筒
６  ・・的
Ｚ  ・・矢
【図１】
2020085437.tif 000005
【図２】
2020085437.tif 000006
【図３】
2020085437.tif 000007
【図４】
2020085437.tif 000008
【図５】
2020085437.tif 000009
【図６】
2020085437.tif 000010
【図７】
2020085437.tif 000011
【図８】
2020085437.tif 000012
【図９】
2020085437.tif 000013
【図１０】
2020085437.tif 000014
【図１１】
2020085437.tif 000015